【手続補正書】
【提出日】平成22年11月19日(2010.11.19)
【手続補正１】
【補正対象書類名】特許請求の範囲
【補正対象項目名】全文
【補正方法】変更
【補正の内容】
【特許請求の範囲】
【請求項１】
燃料電池と、
前記燃料電池に燃料ガスを供給する燃料ガス供給手段と、
前記燃料ガス供給手段から前記燃料電池に供給される燃料ガスが流れる燃料ガス供給流路と、
燃料ガスの圧力を検出する圧力センサと、
前記燃料電池から排出された排出燃料ガスを、前記燃料ガス供給流路に戻す循環流路と、
前記燃料ガス供給流路に設けられ、前記燃料ガス供給手段からの燃料ガスを噴射するノズルを有し、前記燃料ガス供給手段からの燃料ガスと前記循環流路からの排出燃料ガスとを混合するエゼクタと、
前記ノズルの噴射口における噴射断面積を調整する噴射口調整手段と、
燃料ガスの目標圧力を算出する目標圧力算出手段と、
を備え、
前記噴射口調整手段は、前記圧力センサの検出した検出圧力が前記目標圧力算出手段の算出した目標圧力よりも低く、当該検出圧力と当該目標圧力との圧力差が所定圧力差以上である場合、前記ノズルの噴射口における噴射断面積が大きくなるように調整する
ことを特徴とする燃料電池システム。
【請求項２】
前記噴射口調整手段は、前記燃料電池の現在の発電電流値が所定発電電流値以上である場合、前記ノズルの噴射口における噴射断面積が大きくなるように調整する
ことを特徴とする請求項１に記載の燃料電池システム。
【請求項３】
前記噴射口調整手段は、前記燃料電池の現在の発電電流値が所定発電電流値よりも小さく、前記圧力センサの検出した検出圧力が前記目標圧力算出手段の算出した目標圧力よりも低く、当該検出圧力と当該目標圧力との圧力差が所定圧力差以上である場合、前記ノズルの噴射口における噴射断面積が大きくなるように調整する
ことを特徴とする請求項１又は請求項２に記載の燃料電池システム。
【請求項４】
前記目標圧力算出手段は、前記燃料電池に対して指令された指令発電電流値に基づいて、前記目標圧力を算出する
ことを特徴とする請求項１から請求項３のいずれか１項に記載の燃料電池システム。
【請求項５】
燃料電池と、前記燃料電池に燃料ガスを供給する燃料ガス供給手段と、前記燃料ガス供給手段から前記燃料電池に供給される燃料ガスが流れる燃料ガス供給流路と、燃料ガスの圧力を検出する圧力センサと、前記燃料電池から排出された排出燃料ガスを、前記燃料ガス供給流路に戻す循環流路と、前記燃料ガス供給流路に設けられ、前記燃料ガス供給手段からの燃料ガスを噴射するノズルを有し、前記燃料ガス供給手段からの燃料ガスと前記循環流路からの排出燃料ガスとを混合するエゼクタと、前記ノズルの噴射口における噴射断面積を調整する噴射口調整手段と、燃料ガスの目標圧力を算出する目標圧力算出手段と、を備える燃料電池システムの制御方法であって、
前記目標圧力算出手段が目標圧力を算出するステップと、
前記圧力センサが燃料ガスの圧力を検出するステップと、
前記噴射口調整手段が、前記圧力センサの検出した検出圧力が前記目標圧力算出手段の算出した目標圧力よりも低く、当該検出圧力と当該目標圧力との圧力差が所定圧力差以上である場合、前記ノズルの噴射口における噴射断面積が大きくなるように調整するステップと、を含む
ことを特徴とする燃料電池システムの制御方法。
【手続補正２】
【補正対象書類名】明細書
【補正対象項目名】０００８
【補正方法】変更
【補正の内容】
【０００８】
前記課題を解決するための手段として、本発明は、燃料電池と、前記燃料電池に燃料ガスを供給する燃料ガス供給手段と、前記燃料ガス供給手段から前記燃料電池に供給される燃料ガスが流れる燃料ガス供給流路と、燃料ガスの圧力を検出する圧力センサと、前記燃料電池から排出された排出燃料ガスを、前記燃料ガス供給流路に戻す循環流路と、前記燃料ガス供給流路に設けられ、前記燃料ガス供給手段からの燃料ガスを噴射するノズルを有し、前記燃料ガス供給手段からの燃料ガスと前記循環流路からの排出燃料ガスとを混合するエゼクタと、前記ノズルの噴射口における噴射断面積を調整する噴射口調整手段と、燃料ガスの目標圧力を算出する目標圧力算出手段と、を備え、前記噴射口調整手段は、前記圧力センサの検出した検出圧力が前記目標圧力算出手段の算出した目標圧力よりも低く、当該検出圧力と当該目標圧力との圧力差が所定圧力差以上である場合、前記ノズルの噴射口における噴射断面積が大きくなるように調整することを特徴とする燃料電池システムである。
【手続補正３】
【補正対象書類名】明細書
【補正対象項目名】０００９
【補正方法】変更
【補正の内容】
【０００９】
このような燃料電池システムによれば、目標圧力と圧力センサにより検出される検出圧力との圧力差に基づいて、ノズルの噴射口における噴射断面積を切り替える構成としたので、例えば、燃料電池自動車の起動時や加速時等において、噴射断面積の大きなノズルが選択される。
具体的には、圧力センサの検出した検出圧力が目標圧力算出手段の算出した目標圧力よりも低く、検出圧力と目標圧力との圧力差が所定値（所定圧力差）以上である場合、噴射口調整手段は、ノズルの噴射口における噴射断面積が大きくなるように調整する。このように噴射断面積が大きくなるように調整されることによって、燃料電池へ供給される燃料ガスの流量が多くなる。
【手続補正４】
【補正対象書類名】明細書
【補正対象項目名】００１１
【補正方法】変更
【補正の内容】
【００１１】
また、前記噴射口調整手段は、前記燃料電池の現在の発電電流値が所定発電電流値以上である場合、前記ノズルの噴射口における噴射断面積が大きくなるように調整することを特徴とする燃料電池システムである。
【手続補正５】
【補正対象書類名】明細書
【補正対象項目名】００１２
【補正方法】変更
【補正の内容】
【００１２】
このような燃料電池システムによれば、燃料電池の現在の発電電流値が所定値（所定発電電流値）以上である場合、噴射口調整手段は、ノズルの噴射口における噴射断面積が大きくなるように調整する。このように噴射断面積が大きくなるように調整されることによって、燃料電池へ供給される燃料ガスの流量が多くなる。
【手続補正６】
【補正対象書類名】明細書
【補正対象項目名】００１３
【補正方法】変更
【補正の内容】
【００１３】
このようにして、ノズルの噴射口における噴射断面積は、（１）圧力センサの検出した検出圧力が目標圧力算出手段の算出した目標圧力よりも低く、検出圧力と目標圧力との圧力差が所定値（所定圧力差）以上である場合と、（２）燃料電池の現在の発電電流値が所定値（所定発電電流値）以上である場合とにおいて、大きくなるように調整される。これによって、起動時や加速時等に限定されることなく、適切な量の燃料ガスを燃料電池に供給することができる。
【手続補正７】
【補正対象書類名】明細書
【補正対象項目名】００１４
【補正方法】変更
【補正の内容】
【００１４】
また、前記噴射口調整手段は、前記燃料電池の現在の発電電流値が所定発電電流値よりも小さく、前記圧力センサの検出した検出圧力が前記目標圧力算出手段の算出した目標圧力よりも低く、当該検出圧力と当該目標圧力との圧力差が所定圧力差以上である場合、前記ノズルの噴射口における噴射断面積が大きくなるように調整することを特徴とする燃料電池システムである。
【手続補正８】
【補正対象書類名】明細書
【補正対象項目名】００１５
【補正方法】変更
【補正の内容】
【００１５】
このような燃料電池システムによれば、燃料電池の現在の発電電流値が所定値（所定発電電流値）よりも小さく、圧力センサの検出した検出圧力が目標圧力算出手段の算出した目標圧力よりも低く、検出圧力と目標圧力との圧力差が所定値（所定圧力差）以上である場合、噴射口調整手段は、ノズルの噴射口における噴射断面積が大きくなるように調整する。このように噴射断面積が大きくなるように調整されることによって、燃料電池へ供給される燃料ガスの流量が多くなる。
【手続補正９】
【補正対象書類名】明細書
【補正対象項目名】００１７
【補正方法】変更
【補正の内容】
【００１７】
また、前記目標圧力算出手段は、前記燃料電池に対して指令された指令発電電流値に基づいて、前記目標圧力を算出することを特徴とする燃料電池システムである。
【手続補正１０】
【補正対象書類名】明細書
【補正対象項目名】００１８
【補正方法】変更
【補正の内容】
【００１８】
このような燃料電池システムによれば、目標圧力算出手段が、燃料電池に対して指令された指令発電電流値に基づいて、燃料ガスの目標圧力を算出する。
そして、噴射口調整手段が、圧力センサの検出した検出圧力が目標圧力算出手段の算出した目標圧力よりも低く、検出圧力と目標圧力との圧力差が所定値（所定圧力差）以上である場合、ノズルの噴射口における噴射断面積が大きくなるように調整する。このように噴射断面積が大きくなるように調整されることによって、燃料電池へ供給される燃料ガスの流量が多くなる。
【手続補正１１】
【補正対象書類名】明細書
【補正対象項目名】００２０
【補正方法】変更
【補正の内容】
【００２０】
また、本発明は、燃料電池と、前記燃料電池に燃料ガスを供給する燃料ガス供給手段と、前記燃料ガス供給手段から前記燃料電池に供給される燃料ガスが流れる燃料ガス供給流路と、燃料ガスの圧力を検出する圧力センサと、前記燃料電池から排出された排出燃料ガスを、前記燃料ガス供給流路に戻す循環流路と、前記燃料ガス供給流路に設けられ、前記燃料ガス供給手段からの燃料ガスを噴射するノズルを有し、前記燃料ガス供給手段からの燃料ガスと前記循環流路からの排出燃料ガスとを混合するエゼクタと、前記ノズルの噴射口における噴射断面積を調整する噴射口調整手段と、燃料ガスの目標圧力を算出する目標圧力算出手段と、を備える燃料電池システムの制御方法であって、前記目標圧力算出手段が目標圧力を算出するステップと、前記圧力センサが燃料ガスの圧力を検出するステップと、前記噴射口調整手段が、前記圧力センサの検出した検出圧力が前記目標圧力算出手段の算出した目標圧力よりも低く、当該検出圧力と当該目標圧力との圧力差が所定圧力差以上である場合、前記ノズルの噴射口における噴射断面積が大きくなるように調整するステップと、を含むことを特徴とする燃料電池システムの制御方法である。
【手続補正１２】
【補正対象書類名】明細書
【補正対象項目名】００２１
【補正方法】変更
【補正の内容】
【００２１】
このような燃料電池システムの制御方法によれば、目標圧力と圧力センサにより検出される検出圧力との圧力差に基づいて、ノズルの噴射口における噴射断面積を切り替える構成としたので、例えば、燃料電池自動車の起動時や加速時等において、噴射断面積の大きなノズルが選択される。
具体的には、圧力センサの検出した検出圧力が目標圧力算出手段の算出した目標圧力よりも低く、検出圧力と目標圧力との圧力差が所定値（所定圧力差）以上である場合、噴射口調整手段は、ノズルの噴射口における噴射断面積が大きくなるように調整する。このように噴射断面積が大きくなるように調整されることによって、燃料電池へ供給される燃料ガスの流量が多くなる。